(57)【要約】【課題】相手端末から送信される映像データを表示する映像表示装置を複数の映像表示装置間で自動的に切り替えることが可能な中継装置を実現する。【解決手段】中継装置１３は、ローカルネットワーク１１内の移動音声端末１４とＩＰネットワーク１２上の相手端末１８との間で音声データを送受信すると共に、ＩＰネットワーク１２を介して相手端末１８から送信される映像データを映像端末１５，１６，…の一つに選択的に配信する処理を実行する。映像データが配信される映像端末は、移動音声端末１４とこの移動音声端末１４から所定の距離内に存在する映像端末との間でのみ実行可能な近距離無線通信の結果に基づいて特定され、例えば、映像端末１５，１６，…の内で、音声端末１４の現在位置に最も近接する位置に存在する映像端末に対して、映像データが配信される。【選択図】      図２
2008035236.tif 000002
【特許請求の範囲】
【請求項１】
外部のインターネットプロトコルネットワークと有線又は無線のローカルネットワークとの間で音声データおよび映像データの転送を実行する中継装置であって、
前記ローカルネットワークに無線接続される移動音声端末と前記外部のインターネットプロトコルネットワーク上の相手端末との間で音声データおよび映像データを転送するためのセッションを確立するための処理を実行する手段と、
前記移動音声端末と前記相手端末との間で音声データの送受信を実行する手段と、
前記ローカルネットワークに接続された複数の映像表示装置の内で前記移動音声端末から所定の距離内に存在する映像表示装置と前記移動音声端末との間で実行される近距離無線通信の結果に基づいて前記移動音声端末から、または前記移動音声端末から所定の距離内に存在する映像表示装置から送信される、前記移動音声端末から所定の距離内に存在する映像表示装置を指定する転送要求信号を受信する手段と、
前記外部のインターネットプロトコルネットワークを介して前記相手端末から送信される映像データが、前記移動音声端末から所定の距離内に存在する映像表示装置の画面上に表示されるように、前記受信した転送要求信号に応じて、前記外部のインターネットプロトコルネットワークを介して前記相手端末から送信される映像データを配信すべき映像表示装置を前記複数の映像表示装置の間で切り替える手段とを具備することを特徴とする中継装置。
【請求項２】
前記外部のインターネットプロトコルネットワークを介して前記相手端末から送信される音声データおよび映像データにはそれぞれ前記中継装置に割り当てられているグローバルインターネットプロトコルアドレスが付加されており、
前記音声データの送受信を実行する手段は、前記相手端末から受信した音声データに前記移動音声端末を示すローカルインターネットプロトコルアドレスを付加し、前記移動音声端末を示すローカルインターネットプロトコルアドレスが付加された音声データを前記ローカルネットワーク上に送出する手段を含み、
前記映像データを配信すべき映像表示装置を前記複数の映像表示装置の間で切り替える手段は、前記相手端末から受信した映像データに前記受信した転送要求信号で指定される映像表示装置を示すローカルインターネットプロトコルアドレスを付加し、前記映像表示装置を示すローカルインターネットプロトコルアドレスが付加された映像データを前記ローカルネットワーク上に送出する手段を含むことを特徴とする請求項１記載の中継装置。
【請求項３】
有線又は無線のローカルネットワークに無線接続され、外部のインターネットプロトコルネットワークと前記ローカルネットワークとの間を接続する中継装置を介して前記外部のインターネットプロトコルネットワーク上の相手端末との間で音声データおよび映像データの転送を実行する移動音声端末であって、
前記移動音声端末と前記相手端末との間で音声データおよび映像データを転送するためのセッションを確立するための処理を前記中継装置を介して実行する手段と、
前記相手端末から送信される音声データおよび映像データを前記中継装置を介して受信する手段と、
前記ローカルネットワーク内の複数の映像表示装置の内で前記移動音声端末から所定の距離内に存在する映像表示装置と前記移動音声端末との間で実行される近距離無線通信の結果に基づいて、前記移動音声端末から所定の距離内に存在する映像表示装置を特定する手段と、
前記中継装置を介して前記相手端末から受信した映像データが前記特定された映像表示装置の画面上に表示されるように、前記中継装置を介して前記相手端末から受信した映像データを前記ローカルネットワークを介して前記特定された映像表示装置に転送する手段とを具備することを特徴とする移動音声端末。
【請求項４】
前記外部のインターネットプロトコルネットワークを介して前記相手端末から送信される音声データおよび映像データにはそれぞれ前記中継装置に割り当てられているグローバルインターネットプロトコルアドレスが付加されており、
前記中継装置は、
前記相手端末から受信した音声データおよび映像データそれぞれに前記移動音声端末を示すローカルインターネットプロトコルアドレスを付加し、前記移動音声端末を示すローカルインターネットプロトコルアドレスが付加された音声データおよび映像データを前記ローカルネットワーク上に送出する手段を含むことを特徴とする請求項３記載の移動音声端末。
【請求項５】
有線又は無線のローカルネットワークに無線接続された移動音声端末と外部のインターネットプロトコルネットワーク上の相手端末との間の通信を制御する通信制御方法であって、
前記移動音声端末と前記相手端末との間で音声データおよび映像データを転送するためのセッションを確立するための処理を、前記ローカルネットワークと前記外部のインターネットプロトコルネットワークとの間を接続する中継装置を介して実行するステップと、
前記中継装置を介して、前記移動音声端末と前記相手端末との間で音声データの送受信を実行するステップと、
前記外部のインターネットプロトコルネットワークを介して前記相手端末から送信される映像データを前記中継装置を介して受信するステップと、
前記ローカルネットワーク内の複数の映像表示装置の内で前記移動音声端末から所定の距離内に存在する映像表示装置と前記移動音声端末との間で実行される近距離無線通信の結果に基づいて、前記移動音声端末から所定の距離内に存在する映像表示装置を特定するステップと、
前記受信された映像データが前記特定された映像表示装置の画面上に表示されるように、前記受信された映像データを前記ローカルネットワークを介して前記特定された映像表示装置に転送するステップとを具備することを特徴とする通信制御方法。
【請求項６】
前記受信された映像データを前記特定された映像表示装置に転送する転送処理は、前記中継装置によって実行されることを特徴とする請求項５記載の通信制御方法。
【請求項７】
前記外部のインターネットプロトコルネットワークを介して前記相手端末から送信される映像データは前記中継装置を介して前記移動音声端末に転送され、
前記受信された映像データを前記特定された映像表示装置に転送する転送処理は、前記移動音声端末によって実行されることを特徴とする請求項５記載の通信制御方法。
【発明の詳細な説明】
【技術分野】
【０００１】
本発明はインターネットプロトコルネットワークを介して音声および映像の通信を実行するための中継装置および移動音声端末並びに通信制御方法に関する。
【背景技術】
【０００２】
近年、インターネットプロトコル（ＩＰ）を利用して音声データを転送するＶｏＩＰ（Ｖｏｉｃｅ  ｏｖｅｒ  ＩＰ）技術が利用され始めている。このＶｏＩＰ技術を利用することにより、インターネットプロトコルネットワーク（ＩＰネットワーク）を介して音声通信を行うというＩＰ電話システムを実現することができる。
【０００３】
また、ＩＰ電話システムにおいては、音声データのみならず、映像データの転送を行うこともできる。音声データおよび映像データの転送を行うことにより、ＩＰ電話システムをＴＶ電話システムとして機能させることができる。
【０００４】
特許文献１には、２つの利用者端末間でＶｏＩＰ通話を行うためのＶｏＩＰ電話サービスシステムが開示されている。このＶｏＩＰ電話サービスシステムにおいては、各利用者宅内のデジタルＴＶ端末はホームゲートウェイを介してＩＰ網に接続されている。ＶｏＩＰ通話中においては、通話を行っている利用者端末間で所定のＷｅｂページを示すアドレス情報の転送が実行され、これにより利用者宅内それぞれのデジタルＴＶ端末に同一のＷｅｂページが閲覧表示される。
【特許文献１】特開２００５−５７６７６号公報
【発明の開示】
【発明が解決しようとする課題】
【０００５】
ところで、通常、音声端末に設けることが可能な表示装置の画面サイズには限界があるので、ＩＰ電話を用いてＴＶ電話やＴＶ会議等を行う場合には、相手端末から送信される映像データを、例えばＴＶやコンピュータのような、音声端末とは異なる別の装置（映像表示装置）に表示する仕組みを実現することが有効な場合がある。
【０００６】
しかし、この音声端末として無線通信可能な移動音声端末を使用した場合には、移動音声端末の利用場所が映像表示装置の設置場所の近くのみに限定されてしまい、移動音声端末の携帯性が損なわれることになる。
【０００７】
本発明は上述の事情を考慮してなされたものであり、相手端末から送信される映像データを表示する映像表示装置を複数の映像表示装置間で自動的に切り替えることが可能な中継装置、移動音声端末および通信制御方法を提供することを目的とする。
【課題を解決するための手段】
【０００８】
上述の課題を解決するため、本発明は、外部のインターネットプロトコルネットワークと有線又は無線のローカルネットワークとの間で音声データおよび映像データの転送を実行する中継装置であって、前記ローカルネットワークに無線接続される移動音声端末と前記外部のインターネットプロトコルネットワーク上の相手端末との間で音声データおよび映像データを転送するためのセッションを確立するための処理を実行する手段と、前記移動音声端末と前記相手端末との間で音声データの送受信を実行する手段と、前記ローカルネットワークに接続された複数の映像表示装置の内で前記移動音声端末から所定の距離内に存在する映像表示装置と前記移動音声端末との間で実行される近距離無線通信の結果に基づいて前記移動音声端末から、または前記移動音声端末から所定の距離内に存在する映像表示装置から送信される、前記移動音声端末から所定の距離内に存在する映像表示装置を指定する転送要求信号を受信する手段と、前記外部のインターネットプロトコルネットワークを介して前記相手端末から送信される映像データが、前記移動音声端末から所定の距離内に存在する映像表示装置の画面上に表示されるように、前記受信した転送要求信号に応じて、前記外部のインターネットプロトコルネットワークを介して前記相手端末から送信される映像データを配信すべき映像表示装置を前記複数の映像表示装置の間で切り替える手段とを具備することを特徴とする。
【発明の効果】
【０００９】
本発明によれば、相手端末から送信される映像データを表示する映像表示装置を複数の映像表示装置間で自動的に切り替えることが可能となる。
【発明を実施するための最良の形態】
【００１０】
以下、図面を参照して、本発明の実施形態を説明する。  
図１には、本発明の一実施形態に係るＩＰ電話システムの構成例が示されている。このＩＰ電話システムはインターネットプロトコルネットワーク（ＩＰネットワーク）を介して音声データおよび映像データを送受信するシステムである。ユーザの宅内やオフィス内においては、有線又は無線のローカルネットワーク１１と、中継装置１３とが設けられている。
【００１１】
ローカルネットワーク１１は、例えば、有線ＬＡＮあるいは無線ＬＡＮ、またはそれら有線ＬＡＮおよび無線ＬＡＮの双方を含むネットワークから構成されている。ローカルネットワーク１１には移動音声端末１４が無線接続されており、また複数の映像端末１５，１６，…が有線または無線でローカルネットワーク１１に接続されている。移動音声端末１４はＩＰ電話端末として機能する携帯型のハンドセットであり、音声信号を送受信する機能等を有している。映像端末１５，１６，…の各々は映像データを表示する機能を有する映像表示装置であり、ローカルネットワーク１１に有線または無線で接続される。これら映像端末１５，１６，…の各々は、例えば、ＴＶ受像機、パーソナルコンピュータ等から構成されている。
【００１２】
ローカルネットワーク１１は、中継装置１３を介して外部のインターネットプロトコルネットワーク（ＩＰネットワーク）１２に接続されている。ＩＰネットワーク１２には、ＩＰ電話端末として機能する端末１８が中継装置１７を介して接続されている。
【００１３】
本実施形態においては、音声通話は中継装置１７を介して移動音声端末１４とＩＰネットワーク１２上の端末（相手端末）１８との間で実行されるが、外部のＩＰネットワーク１２を介して相手端末１８から送信される映像データ（例えば、相手端末１８側に設けられたカメラによって得られる、映像データ等）は、中継装置１７によって、移動音声端末１４ではなく、映像端末１５，１６，…のいずれかに転送され、その映像端末の画面上に表示される。移動音声端末１４のユーザは、移動音声端末１４を用いて相手端末１８との音声通話を行いながら、当該音声通話に関連する、相手端末１８から送信される映像データを映像端末１５の画面上で見ることができる。もちろん、例えば移動音声端末１４にカメラが設けられている場合等においては、当該カメラによって得られた映像データを移動音声端末１４から相手端末１８に中継装置１７およびＩＰネットワーク１２を介して送信することもできる。
【００１４】
中継装置１３は、ローカルネットワーク１１と外部のインターネットプロトコルネットワーク（ＩＰネットワーク）１２との間を接続し、それらローカルネットワーク１１とＩＰネットワーク１２との間で音声データおよび映像データの転送を実行するパケット中継装置でぁり、例えば、ＶｏＩＰサーバ機能を有する無線ルータなどから構成されている。中継装置１３は、ＳＩＰ（Session Initiation Protocol）等の呼制御プロトコルに従って、ローカルネットワーク１１内の移動音声端末１４とＩＰネットワーク１２上の相手端末１８との間で音声データおよび映像データの転送を実行するためのセッションを確立し、そして移動音声端末１４とＩＰネットワーク１２上の相手端末１８との間で音声データを送受信すると共に、ＩＰネットワーク１２を介して相手端末１８から送信される映像データを映像端末１５，１６，…の一つに選択的に配信する処理を実行する。映像データが配信される映像端末は、音声端末１４の現在位置から所定の距離内に存在する映像端末である。例えば、映像端末１５，１６，…の内で、音声端末１４の現在位置に最も近接する位置に存在する映像端末に対して、映像データが配信される。
【００１５】
移動音声端末１４から所定の距離内に存在する映像端末の特定には、移動音声端末１４とこの移動音声端末１４から所定の距離内に存在する映像端末との間でのみ実行可能な近距離無線通信が用いられる。近距離無線通信としては、ローカルネットワーク１１との無線接続に使用される無線ＬＡＮのような無線通信方式よりも通信エリアが小さい無線通信方式、例えば、Bluetooth（登録商標）のような無線通信や、赤外線通信などを利用することができる。移動音声端末１４および各映像端末１５，１６，…は、それぞれ近距離無線通信機能を有している。移動音声端末１４が移動することによってある映像端末に近接すると、当該映像端末と音声端末１４との間で近距離無線通信を実行することが可能となる。すなわち、ある映像端末または音声端末１４の一方によって送信される例えばビーコン信号のような近接信号が他方によって受信され、これによって近距離無線通信が実行される。したがって、音声端末１４との近距離無線通信を実行することが可能となった映像端末を、音声端末１４の現在位置から所定の距離内に存在する映像端末として特定することができる。
【００１６】
中継装置１７も、中継装置１３と同様に、ＳＩＰ等の呼制御プロトコルに従って、移動音声端末１４と相手端末１８との間で音声データおよび映像データの転送を実行するためのセッションを確立する。
【００１７】
ＩＰネットワーク１２上では、音声データおよび映像データはそれぞれパケット（ＩＰパケット）として転送される。相手端末１８からＩＰネットワーク１２を介して送信される音声データおよび映像データそれぞれのパケットには、中継装置１３に割り当てられているグローバルインターネットプロトコルアドレス（グローバルＩＰアドレス）が宛先アドレスとして付加されている。
【００１８】
中継装置１３は、受信したパケットが音声データを含む音声パケットまたは映像データを含む映像パケットのいずれであるかを判別する。例えば、各パケットのヘッダ等に、当該パケットに含まれるデータが音声データまたは映像データのいずれであるかを示す識別子を付加することにより、受信したパケットが音声パケットまたは映像パケットのいずれであるかを容易に判別することができる。また、音声パケットと映像パケットとで互いに異なる受信ポート番号を設定するようにした場合には、各パケットのポート番号の値に基づいて、受信したパケットが音声パケットまたは映像パケットのいずれであるかを判別することもできる。
【００１９】
そして、中継装置１３は、音声パケットに対しては移動音声端末１４のローカルＩＰアドレスを付加し、その音声パケットをローカルネットワーク１１上に送出する。これにより、音声データ（音声パケット）は移動音声端末１４に送られる。また、中継装置１３は、映像パケットに対しては、移動音声端末１４に近接する位置に存在する映像端末のローカルＩＰアドレスを付加し、その映像パケットをローカルネットワーク１１上に送出する。これにより、映像データ（映像パケット）は移動音声端末１４に近接している映像端末に送られる。
【００２０】
次に、図２を参照して、ＩＰネットワーク１２を介して相手端末１８から受信した映像データを配信すべき映像端末を、複数の映像端末１５，１６，…間で自動的に切り替える処理の手順（その１）について説明する。
【００２１】
図２においては、近接信号を移動音声端末１４が出し、移動音声端末１４に近接する位置に存在する映像端末を指定する転送要求を映像端末が出し、中継装置１３が映像データの転送切替えを行う場合の例を示す。
【００２２】
・映像データ転送のしくみ（その１）
１．移動音声端末１４は、近距離無線通信を利用して、近くにある映像端末（ここでは映像端末１５）に、通話中の相手端末等を指定する現在の通話セッション情報（例えば、転送元および転送先ＩＰアドレス、受信ポート番号等）や自端末情報（移動音声端末１４のローカルＩＰアドレス等）が入ったデータを近接信号として送信する。
【００２３】
２．映像端末は近接信号を受信したとき、移動音声端末１４が近くにいると判断し、移動音声端末１４に近接する映像装置が自身であることを示す転送要求信号をローカルネットワーク１１を介して中継装置１３に送信し、これによって自分宛に映像データを転送するように中継装置１３に指示する。転送要求信号には、当該映像端末を識別する端末識別情報（当該映像端末のローカルＩＰアドレス等）が含まれている。また移動音声端末１４から受け取ったセッション情報や端末情報を転送要求信号に含めても良い。
【００２４】
３．中継装置１３は、移動音声端末１４と通話中の相手端末１８から受信した映像データを、転送要求信号で指定された映像端末にローカルネットワーク１１を介して転送する。
【００２５】
４．映像端末は中継装置１３から転送される映像データを画面上に表示する。
【００２６】
移動音声端末１４が移動したときは、１〜４の処理が繰り返される。すなわち、以下の処理が実行される。
【００２７】
５．移動音声端末１４が移動し、別の映像端末（ここでは映像端末１６）に近づく。
【００２８】
６．移動音声端末１４からの近接信号は映像端末１６によって受信される。
【００２９】
７．近接信号を受信した映像端末は、移動音声端末１４に近接する映像装置が自身であることを示す転送要求信号をローカルネットワーク１１を介して中継装置１３に送信し、これによって自分宛に映像データを転送するように中継装置１３に指示する。
【００３０】
８．中継装置１３は、相手端末１８から受信した映像データを、転送要求信号で指定された映像端末にローカルネットワーク１１を介して転送する。
【００３１】
９．映像端末は中継装置１３から転送される映像データを画面上に表示する。
【００３２】
なお、上記３または８においては、中継装置１３が複数の映像端末に同時にデータを転送できる能力がある場合は、新しく要求のあった端末に映像データを転送するだけでなく、以前まで転送を行っていた映像端末に対する映像データの転送を継続して実行してもよい。これによって、映像端末間の中間地点に音声端末１４が存在するときに、以前の映像端末から急に映像が見えなくなることを防止できる。
【００３３】
図３は、以上の転送切替え処理の手順を示すフローチャートである。
【００３４】
移動映像端末１４は上述の近接信号を常時送信している（ステップＳ１１）。近接信号を受信すると（ステップＳ１２）、映像端末は、転送要求信号を中継装置１３に送信して、自分宛に映像データを転送するように中継装置１３に指示する（ステップＳ１３）。中継装置１３は、転送要求信号を受信すると（ステップＳ１４）、転送要求信号で指定された映像端末に映像データを転送する（ステップＳ１５）。映像端末は、中継装置１３から転送される映像データを受信し（ステップＳ１６）、その受信した映像データを表示する（ステップＳ１７）。
【００３５】
次に、図４を参照して、中継装置１３の機能構成の例を説明する。
【００３６】
中継装置１３は、セッション確立制御部１３１、音声パケット転送制御部１３２、映像パケット転送制御部１３３、および転送指示受信部１３４を備えている。
【００３７】
セッション確立制御部１３１は、移動映像端末１４と共同して、移動映像端末１４と相手端末１８との間で音声データおよび映像データを転送するためのセッションを確立する処理を実行する。セッション確立処理は、例えばＳＩＰプロトコルに従って実行される。音声パケット転送制御部１３２は、移動音声端末１４と相手端末１８との間で音声データ（音声パケット）の送受信を実行する。映像パケット転送制御部１３３は、相手端末１８から送信される映像データ（映像パケット）が移動音声端末１４から所定の距離内に存在する映像端末の画面上に表示されるように、転送指示受信部１３４によって受信される上述の転送要求信号に応じて、相手端末１８から送信される映像データ（映像パケット）を配信すべき映像端末を複数の映像端末間で切り替える。
【００３８】
上記その１の手順は、近接信号を音声端末が出し、転送要求信号を映像端末が出し、中継装置が映像の転送切替えを行う場合であったが、近接信号を出力する端末と転送要求信号を出力する端末との組み合わせを変えることで、図５に示すような、その２〜その４の手順を利用することもできる。
【００３９】
また、映像データの転送を音声端末が行っても良く、この場合には、図６に示すように、その５〜その８の手順を利用することができる。
【００４０】
以下、各手順について説明する。
【００４１】
図７は、その２の手順に対応する転送切替え処理の手順を示すフローチャートである。
【００４２】
・映像データ転送のしくみ（その２）
１．移動音声端末１４は、近距離での通信手段である赤外線や無線などを利用して、近くにある映像端末に現在の通話セッション情報や自端末情報が入ったデータを近接信号として常時送信する（ステップＳ２１）。
【００４３】
２．映像端末は近接信号を受信すると（ステップＳ２２）、当該映像端末を識別するための映像端末情報（例えば当該映像端末のローカルＩＰアドレスなど）を近距離無線通信を用いて移動音声端末１４に送信する（ステップＳ２３）。
【００４４】
３．移動音声端末１４は映像端末情報を受信すると（ステップＳ２４）、その映像端末情報で指定される映像端末が移動音声端末１４に近接していることを認識し、当該映像端末を指定する転送要求信号をローカルネットワーク１１を介して中継装置１３に送信して、転送要求信号で指定される映像端末に映像データを転送するように中継装置１３に指示する（ステップＳ２５）。
【００４５】
４．中継装置１３は、転送要求信号を受信すると（ステップＳ２６）、転送要求信号で指定された映像端末に映像データを転送する（ステップＳ２７）。
【００４６】
５．映像端末は、中継装置１３から転送される映像データを受信し（ステップＳ２８）、その受信した映像データを表示する（ステップＳ２９）。
【００４７】
移動音声端末１４が移動したときは、１〜５が繰り返される。
【００４８】
図８は、その３の手順に対応する転送切替え処理の手順を示すフローチャートである。
【００４９】
・映像データ転送のしくみ（その３）
１．映像端末は、近距離での通信手段である赤外線や無線などを利用して、近くにある音声端末に自端末情報が入ったデータを近接信号として常時送信する（ステップＳ３１）。
【００５０】
２．移動音声端末１４は、近接信号を受信すると（ステップＳ３２）、その受信した近接信号を送信した映像端末に対して、現在の通話セッション情報や自端末情報を音声端末情報として近距離無線通信を用いて送信する（ステップＳ３３）。
【００５１】
３．映像端末は移動音声端末１４から音声端末情報を受信すると（ステップＳ３４）、移動音声端末１４が近くにいると判断し、移動音声端末１４に近接する映像装置が自身であることを示す転送要求信号をローカルネットワーク１１を介して中継装置１３に送信して、自分宛に映像データを転送するように中継装置１３に指示する（ステップＳ３５）。
【００５２】
４．中継装置は転送要求信号を受信すると（ステップＳ３６）、移動音声端末１４と通話中の相手端末１８から受信した映像データを、転送要求信号で指定された映像端末にローカルネットワーク１１を介して転送する（ステップＳ３７）。
【００５３】
５．映像端末は、中継装置１３から転送される映像データを受信し（ステップＳ３８）、その受信した映像データを表示する（ステップＳ３９）。
【００５４】
移動音声端末１４が移動したときは、１〜５が繰り返される。
【００５５】
図９は、その４の手順に対応する転送切替え処理の手順を示すフローチャートである。
【００５６】
・映像データ転送のしくみ（その４）
１．映像端末は、近距離での通信手段である赤外線や無線などを利用して、近くにある音声端末に自端末情報が入ったデータを近接信号として常時送信する（ステップＳ４１）。
【００５７】
２．移動音声端末１４は近接信号を受信すると（ステップＳ４２）、映像端末が近くにあると判断し、受信した近接信号に含まれる端末情報によって指定される映像端末を移動音声端末１４に近接する映像端末として示す転送要求信号をローカルネットワーク１１を介して中継装置１３に送信して、転送要求信号で指定される映像端末に映像データを転送するよう中継装置１３に指示する（ステップＳ４３）。その際に、セッション情報や移動音声端末１４の端末情報を転送要求信号に含めても良い。
【００５８】
３．中継装置１３は転送要求信号を受信すると（ステップＳ４４）、移動音声端末１４と通話中の相手端末１８から受信した映像データを、転送要求信号で指定された映像端末にローカルネットワーク１１を介して転送する（ステップＳ４５）。
【００５９】
４．映像端末は、中継装置１３から転送される映像データを受信し（ステップＳ４６）、その受信した映像データを表示する（ステップＳ４７）。
【００６０】
移動音声端末１４が移動したときは、１〜４が繰り返される。
【００６１】
以上のように、その１〜その４の手順においては、移動音声端末１４とその移動音声端末１４から所定の距離内に存在する映像端末との間で実行される近距離無線通信の結果に基づいて、移動音声端末１４から所定の距離内に存在する映像端末、つまり移動音声端末１４に近接する映像端末が特定され、その特定された映像端末を示す転送要求信号が移動音声端末１４または当該特定された映像端末から中継装置１３に送信される。これにより、相手端末１８から送信される映像データを表示する映像端末を、移動音声端末１４の移動場所に応じて自動的に切り替えることが可能となる。よって、ユーザは、特別な操作を何等行うことなく、通話中の相手端末から送信される映像データを、ユーザ宅内またはオフィス内のどこでも見ることができる。
【００６２】
以下、その５〜８の手順について説明する。
【００６３】
その５〜８の手順は音声端末がパケット中継機能を含む場合に実行することができる。
【００６４】
まず、図１０を参照して、移動音声端末１４の機能構成を説明する。
【００６５】
移動音声端末１４は、セッション確立制御部２０１、音声パケット送受信部２０２、映像パケット転送制御部２０３、および映像端末特定部２０３を備えている。
【００６６】
セッション確立制御部２０１は、中継装置１３と共同して、移動映像端末１４と相手端末１８との間で音声データおよび映像データを転送するためのセッションを確立するための処理を実行する。セッション確立処理は、例えば、上述のＳＩＰプロトコルに従って実行される。音声パケット送受信部２０２は、移動音声端末１４と相手端末１８との間の音声データ（音声パケット）の送受信を中継装置１３を介して実行する。映像パケット転送制御部１３３は、中継装置１３を介して受信した相手端末１８からの映像データ（映像パケット）が移動音声端末１４から所定の距離内に存在する映像端末の画面上に表示されるように、映像端末特定部２０４によって特定される、移動音声端末１４から所定の距離内に存在する映像端末に映像パケットをローカルネットワーク１１を介して送信する。
【００６７】
映像端末特定部２０４は、複数の映像端末１５，１６，…の内で移動音声端末１４から所定の距離内に存在する映像端末と移動音声端末１４との間で実行される近距離無線通信の結果に基づいて、移動音声端末１４から所定の距離内に存在する映像端末を特定する。
【００６８】
図１１は、その５の手順に対応する転送切替え処理の手順を示すフローチャートである。
【００６９】
・映像データ転送のしくみ（その５）
１．移動音声端末１４は、近距離での通信手段である赤外線や無線などを利用して、近くにある映像端末に現在の通話セッション情報や自端末情報が入ったデータを近接信号として常時送信する（ステップＳ５１）。
【００７０】
２．映像端末は近接信号を受信すると（ステップＳ５２）、移動音声端末１４が近くにいると判断し、移動音声端末１４に近接する映像装置が自身であることを示す転送要求信号を移動音声端末１４に近距離無線通信によって送信し、これによって自分宛に映像データを転送するように移動音声端末１４に指示する（ステップＳ５３）。転送要求信号には、当該映像端末を識別する端末識別情報（当該映像端末のローカルＩＰアドレス等）が含まれている。
【００７１】
３．移動音声端末１４は転送要求信号を受信し（ステップＳ５４）、その転送要求信号によって、移動音声端末１４に近接する映像端末、つまり移動音声端末１４から所定の距離内に存在する映像端末を特定する。そして、移動音声端末１４は、通話中の相手端末１８から受信した映像データを、特定された映像端末にローカルネットワーク１１を介して転送する（ステップＳ５５）。
【００７２】
４．映像端末は移動音声端末１４から転送される映像データを受信し（ステップＳ５６）、その受信した映像データを表示する（ステップＳ５７）。
【００７３】
移動音声端末１４が移動したときは、１〜４が繰り返される。
【００７４】
図１２は、その６の手順に対応する転送切替え処理の手順を示すフローチャートである。
【００７５】
・映像データ転送のしくみ（その６）
１．移動音声端末１４は、近距離での通信手段である赤外線や無線などを利用して、近くにある映像端末に現在の通話セッション情報や自端末情報が入ったデータを近接信号として常時送信する（ステップＳ６１）。
【００７６】
２．映像端末は近接信号を受信すると（ステップＳ６２）、当該音声端末を識別する端末情報を近距離無線通信によって移動音声端末１４に送信する（ステップＳ６３）。
【００７７】
３．移動音声端末１４は映像端末から送信される端末情報を受信し（ステップＳ６４）、その端末情報によって、移動音声端末１４に近接する映像端末、つまり移動音声端末１４から所定の距離内に存在する映像端末を特定する。そして、移動音声端末１４は、特定された映像端末に映像データを転送するよう転送先に関する設定を変更する（ステップＳ６５）。その際に、映像端末から受け取った端末情報を利用しても良い。
【００７８】
４．移動音声端末１４は転送先に関する設定に従い、通話中の相手端末１８から受信した映像データを、特定された映像端末にローカルネットワーク１１を介して転送する（ステップＳ６６）。
【００７９】
５．映像端末は移動音声端末１４から転送される映像データを受信し（ステップＳ６７）、その受信した映像データを表示する（ステップＳ６８）。
【００８０】
移動音声端末１４が移動したときは、１〜５が繰り返される。
【００８１】
図１３は、その７の手順に対応する転送切替え処理の手順を示すフローチャートである。
【００８２】
・映像データ転送のしくみ（その７）
１．映像端末は、近距離での通信手段である赤外線や無線などを利用して、近くにある音声端末に自端末情報が入ったデータを近接信号として常時送信する（ステップＳ７１）。
【００８３】
２．移動音声端末１４は近接信号を受信すると（ステップＳ７２）、その受信した近接信号を送信した映像端末に対して、現在の通話セッション情報や自端末情報を音声端末情報として送信する（ステップＳ７３）。
【００８４】
３．映像端末は移動音声端末１４との近距離無線通信によって移動音声端末１４から音声端末情報を受信すると（ステップＳ７４）、移動音声端末１４が近くにいると判断し、移動音声端末１４に近接する映像装置が自身であることを示す転送要求信号を近距離無線通信によって移動音声端末１４に送信して、自分宛に映像データを転送するように移動音声端末１４に指示する（ステップＳ７５）。転送要求信号には、当該映像端末を識別する端末識別情報（当該映像端末のローカルＩＰアドレス等）が含まれている。
【００８５】
４．移動音声端末１４は転送要求信号を受信し（ステップＳ７６）、その転送要求信号によって、移動音声端末１４に近接する映像端末、つまり移動音声端末１４から所定の距離内に存在する映像端末を特定する。そして、移動音声端末１４は、通話中の相手端末１８から受信した映像データを、特定された映像端末にローカルネットワーク１１を介して転送する（ステップＳ７７）。
【００８６】
５．映像端末は移動音声端末１４から転送される映像データを受信し（ステップＳ７８）、その受信した映像データを表示する（ステップＳ７９）。
【００８７】
移動音声端末１４が移動したときは、１〜５が繰り返される。
【００８８】
図１４は、その８の手順に対応する転送切替え処理の手順を示すフローチャートである。
【００８９】
・映像データ転送のしくみ（その８）
１．映像端末は、近距離での通信手段である赤外線や無線などを利用して、近くにある音声端末に自端末情報が入ったデータを近接信号として送信する（ステップＳ８１）。
【００９０】
２．移動音声端末１４は近接信号を受信すると（ステップＳ８２）、映像端末が近くに存在すると判断し、近接信号を送信した映像端末を、移動音声端末１４に近接する映像端末、つまり移動音声端末１４から所定の距離内に存在する映像端末として特定する。そして、移動音声端末１４は、特定された映像端末に映像データを転送するよう転送先に関する設定を変更する（ステップＳ８３）。その際に、映像端末から受け取った端末情報を利用しても良い。
【００９１】
３．移動音声端末１４は転送先に関する設定に従い、通話中の相手端末１８から受信した映像データを、特定された映像端末にローカルネットワーク１１を介して転送する（ステップＳ８４）。
【００９２】
４．映像端末は移動音声端末１４から転送される映像データを受信し（ステップＳ６７）、その受信した映像データを表示する（ステップＳ６８）。
【００９３】
移動音声端末１４が移動したときは、１〜４が繰り返される。
【００９４】
このように、その５〜その８の手順においては、近距離通信の結果に基づいて移動音声端末１４に近接する映像端末が特定され、その映像端末に対して移動音声端末１４から映像データが転送される。したがって、移動音声端末１４の位置に応じて、移動音声端末１４から配信される映像データを表示する映像端末が自動的に切り替えられる。
【００９５】
以上のように、本実施形態によれば、移動音声端末１４の近くの映像端末に対して逐次映像データが中継装置１３または移動音声端末１４によって転送されることにより、ユーザは、移動先の場所毎にその場所に配置されている映像端末によって相手端末からの映像を見ることができる。
【００９６】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【図面の簡単な説明】
【００９７】
【図１】本発明の一実施形態に係るＩＰ電話システムの構成例を示す図。
【図２】同実施形態のＩＰ電話システムによって実行される映像データ転送先切り替え処理の例を説明するための図。
【図３】同実施形態のＩＰ電話システムで用いられる映像データ転送先切り替え処理の第１の手順を説明するフローチャート。
【図４】同実施形態のＩＰ電話システムに設けられた中継装置の構成例を示すブロック図。
【図５】図４の中継装置によって映像データが転送される場合に利用可能な、映像端末と音声端末の役割の関係の例を説明するための図。
【図６】同実施形態のＩＰ電話システムで用いられる音声端末によって映像データが転送される場合に利用可能な、映像端末と音声端末の役割の関係の例を説明するための図。
【図７】同実施形態のＩＰ電話システムで用いられる映像データ転送先切り替え処理の第２の手順を説明するフローチャート。
【図８】同実施形態のＩＰ電話システムで用いられる映像データ転送先切り替え処理の第３の手順を説明するフローチャート。
【図９】同実施形態のＩＰ電話システムで用いられる映像データ転送先切り替え処理の第４の手順を説明するフローチャート。
【図１０】同実施形態のＩＰ電話システムで用いられる音声端末の構成例を示すブロック図。
【図１１】同実施形態のＩＰ電話システムで用いられる映像データ転送先切り替え処理の第５の手順を説明するフローチャート。
【図１２】同実施形態のＩＰ電話システムで用いられる映像データ転送先切り替え処理の第６の手順を説明するフローチャート。
【図１３】同実施形態のＩＰ電話システムで用いられる映像データ転送先切り替え処理の第７の手順を説明するフローチャート。
【図１４】同実施形態のＩＰ電話システムで用いられる映像データ転送先切り替え処理の第８の手順を説明するフローチャート。
【符号の説明】
【００９８】
１１…ローカルネットワーク、１２…外部ＩＰネットワーク、１３，１７…中継装置、１４…移動音声端末、１５，１６…映像端末、１８…相手端末、１３１…セッション確立制御部、１３２…音声パケット転送制御部、１３３…映像パケット転送制御部、１３４…転送指示受信部、２０１…セッション確立制御部、２０２…音声パケット送受信部、２０３…映像パケット転送制御部、２０４…映像端末特定部。
【図１】
2008035236.tif 000003
【図２】
2008035236.tif 000004
【図３】
2008035236.tif 000005
【図４】
2008035236.tif 000006
【図５】
2008035236.tif 000007
【図６】
2008035236.tif 000008
【図７】
2008035236.tif 000009
【図８】
2008035236.tif 000010
【図９】
2008035236.tif 000011
【図１０】
2008035236.tif 000012
【図１１】
2008035236.tif 000013
【図１２】
2008035236.tif 000014
【図１３】
2008035236.tif 000015
【図１４】
2008035236.tif 000016